Podtech/llm-jp-corpus-v4-ja_patent huggingface dataset:
(57)【要約】      （修正有）【課題】  船の船首の造波抵抗を減じ、全体としての抵抗を削減する。【解決手段】  船の進行方向に平行に、その下部を喫水線より下の位置に且つ進行方向に突出して側面を形成し、または底面を切欠いてウェルを形成することにより、船に向かってくる水流をより多く胴体下部に誘導し、造波抵抗を減じる。【選択図】  図２
2005350043.tif 000002
【特許請求の範囲】
【請求項１】
船の前進により、船に対して向かってくる水流の流れをでき得る限り船の下方に向かわしめるように、図１、図２に示す如く、船の外側面構造物を、同一水位の船の本体よりも前方に、外側面を船の進行方向に平行に、下部を喫水線より下の位置に、且つ進行方向に向かって突出せしめた船。
【請求項２】
船の前進により、船に対して向かってくる水流の流れをより多く船の下方に誘導するために、図７に示す如く、船の底面に切り欠きウエルを形成した船
【請求項３】
図１０、図１１及び図１２に示す如く、船の外側面構造物を進行方向に突出せしめ、その外側面を進行方向に平行に、その下部を喫水線より下の位置にして形成した構造と且つ底面を切り欠いてウェルを形成した船
【発明の詳細な説明】
【発明の詳細な説明】
【産業上の利用分野】
【０００１】  船の造波抵抗を削減し、この削減量が、摩擦抵抗の増加による抵抗の増加より大きいため、船全体の抵抗を減ずることができる。
【背景技術】
【０００２】  従来は船の前部より、喫水線より上に波を出し、これが造波抵抗のもととなり、この造波抵抗は船速の増加と共に増大し、船の抵抗を大きくした。
【発明が解決しようとする課題】
【０００３】  船の抵抗を船首の造波抵抗とその他の抵抗に分ける。船首の造波抵抗を削減するために、船に向かってくる水流を、船の喫水線の上方ではなく、下方に流すこととするが、水流を下方に流すために図１の如く船の両側を進行方向に突き出したり、図７の如くの本体にウェルを設けたりするが、これは摩擦抵抗の増加を来す。この摩擦の増加による抵抗の増加より、上述の施設により船の船首の造波抵抗の削減量が大きくなり、全体としての船の抵抗は減少する。造波抵抗は船速と共に増加するので、高速船の方が目標値が大きくなり、従って本発明を適用する船は速い方がよい。
【課題を解決するための手段】
【０００４】  船に向かってくる水流を下方に流れるように船の両側の側面構造を、図１の如く、船の進行方向に向かって突出せしめ且つその下部を船の喫水線より下の位置に形成することにより、水の流れを船底の方向に誘導し、水が上方に流れて、水流が喫水線を超えて波を作ることを防ぎ、または図７のごとく船にウェルを形成し水流が外側に流れでることを防ぎ、これにより造波抵抗を減少せしめる。
【作用】
【０００５】  船の前進による抵抗を、船首の造波抵抗とその他の抵抗に分ける。
船に向かいこれに遮られる水流のエネルギーは船の抵抗よりかなり大きいが、この水流が第一に当たるのは船の船首の造波であり、水流のエネルギーはこの船首の造波抵抗にそのエネルギーの一部を消費し、その比率は１：１であり、残りのエネルギーにより船のその他の抵抗を形成するが、この比率はかなり小さく十数％である。即ち船首の造波抵抗を削減すれば船の抵抗が減ることとなる。
説明をより分かりやすくするため船の前部の構造にも触れておく。船の前部構造は図２及び図３に示す様に楔形に細く形成しており、その前部構造の前縁は、水流に斜めに突き出して船の前部を形成し、船の底面に結合している。船の両側面は、図３、図６に示す如く、コの字型に、船に向かってくる水流を抱く様に、その下部は喫水線より下に、外側を船の前進方向に平行に且つ船の前進方向に突出せしめて形成する。水流が下方に向かうことは船の進行方向に楔形に斜めに突き出した船の前部構造によることは勿論であるが、図に示すコの字型の構造の中の水流は、船の進行方向に平行に且つ船の両側面を進行方向に突出した構造により、横に逃げにくく、その水量はより多く船底方向に誘導され船の船首の造波抵抗は削減される。また船に図７のごとく水流に対して傾斜して形成したウェルを作ることにより水流はより多く船底方向に誘導され船首の造波抵抗は削減される。又両者を併用することにより相乗効果により更に船の抵抗は削減される。
【実施要領】
小形のモデルにより目的は達成したが、実物での試験は将来に期待する。
【発明の効果】
【０００７】  課題を解決するとにより、造波抵抗を減じ、造波抵抗の削減量が、この施設による摩擦抵抗の増加による船の抵抗の増加より大きいので、船全体の抵抗を削減した。
【図面の簡単な説明】
【図１】  本発明の船を下部から見た平面図  進行方向に突出し且つ外側を進行方向に平行に形成した側面の船の平面図
【図２】  本発明の船の側面図
【図３】  図１のＡ−Ａ線断面図
【図４】  図２のＢ−Ｂ線断面図  コの字型に突出した船の側面構造を示す。
【図５】  側面図  Ｃ−Ｃ線断面の位置を示す。
【図６】  図５のＣ−Ｃ線断面図  下方にもコの字型に突出した船の側面構造を示す。
【図７】  平面図（下部から見た図）  底面に切欠きウェルを形成した船
【図８】  図７の側面図゛
【図９】  図７のＤＤ断面図
【図１０】  平面図（下部から見た図）  進行方向に突き出した側面と底面に切欠きウェルを形成した船の平面図
【図１１】  図１０の側面図
【図１２】  図１１のＥ−Ｅ線断面図
【符号の説明】
符号は無し
【図１】
2005350043.tif 000003
【図２】
2005350043.tif 000004
【図３】
2005350043.tif 000005
【図４】
2005350043.tif 000006
【図５】
2005350043.tif 000007
【図６】
2005350043.tif 000008
【図７】
2005350043.tif 000009
【図８】
2005350043.tif 000010
【図９】
2005350043.tif 000011
【図１０】
2005350043.tif 000012
【図１１】
2005350043.tif 000013
【図１２】
2005350043.tif 000014
(57)【要約】【課題】  乾いた洗濯物を取込む作業効率と取込まれた洗濯物を雑然とリビング等に置く事の整理と衛生上の問題と、たたんだり仕分を行う際の利便性についての問題を解決する事を目的とする。【解決手段】  乾いた洗濯物を取込む事と洗濯物がリビング等の一部なりを占拠してしまう事については専用のバッグを使えば、バッグを置く場所のみで居住空間を保つ事や美観上、衛生上の課題を解決する。そして、たたんだり仕分の時にバッグは風呂敷の用に大きく展開する為、作業効率の向上と衛生上の課題を解決する。【選択図】  図７
2005350085.tif 000002
【特許請求の範囲】
【請求項１】
乾いた洗濯物等を取込む際はバッグの形状をしており、その為取込みが容易できれいになった洗濯物をリビングの床等に直に置かない為清潔に保つ事ができる。また、床に置かない迄もソファやイス、テーブル等の上に置かない為、居住空間を維持できる。更に疲れている時や急な来客等ですぐにたたんだりしまったり出来ない時も取込み専用である為バッグの形状のまま一時的にかたずける事ができる。
【請求項２】
バッグの中の乾いた洗濯物をたたんだりしまったりする際にチャックやマジックテープ（登録商標）、ボタン、マグネット等のいずれかでバッグは容易に展開（分解）し、内側の裏生地が風呂敷のように大きく広がり衣類の識別、仕分が容易に行える。
【請求項３】
また、その際に仕上がった洗濯物を直接床等に置かない為清潔に保つ事ができる。
【請求項４】
内側の大きく広がる裏生地にはポリエステルのメッシュ生地を使用する。（その限りではない）
【請求項５】
この場合のバッグの形状はトートバッグ型とする。（その限りではない）
【請求項６】
バッグのポケットには取込む際の洗濯鋏等を収納できる。（その限りではない）
【請求項７】
図5のようにバッグ上方入り口を大きくとる為左右のヒモの長さが微妙に違う。（その限りではない）
【請求項８】
図8のようにバッグの肩口の高さを前と後ろ変えて取込みしやすくしている。（その限りではない）
【請求項９】
内側の大きく広がる裏生地はチャックやマジックテープ（登録商標）、ボタン、マグネット等のいずれかで脱着式してそれだけを洗う事ができる。
【発明の詳細な説明】
【技術分野】
【０００１】
本発明は乾いた洗濯物を取込み、衣類の識別、仕分作業の為の効率と利便性に関する。
【背景技術】
【０００２】
従来技術は特許公開平７−１５５４９４の洗濯物置き用の吊台や登録実用新案第３０６２５５６号の洗濯篭受けワゴンに発明されているようにカゴや吊台がある程度で一般的には手でそのまま取込む程度であり、取込まれた洗濯物についてもリビングの床やソファに一時的に放り置く等の事で一連の作業技法については考えられていなかった。
【特許文献１】特開平成７年１５５４９４号
【特許文献２】登録実用新案第３０６２５５６号
【発明の開示】
【発明が解決しようとする課題】
【０００３】
まず、乾いた洗濯物を取込む作業効率と取込まれた洗濯物を雑然とリビング等に置く事の整理と衛生上の事と、たたんだり仕分を行う際の利便性についての問題を解決する事を目的とする。（また、ランドリーボックスを使って取込む事をしていると時間差で新たな洗濯物が入っていたりもするのでこの問題も解決する。）
【課題を解決するための手段】
【０００４】
まず、乾いた洗濯物を取込む作業効率と取込まれた洗濯物を雑然とリビング等に置く事の整理と衛生上の課題については取込み専用のバッグを使う事で取込み作業時は肩にかけるか物干の近くに置いておく事で作業効率は向上する。またランドリーボックスには洗濯物を取込む際には新たな洗濯物が入っている場合も多いのでこの点についても解決する。次に取込まれた洗濯物が無作為にリビング等の一部なりを占拠してしまう事についても専用のバッグを使えば、バッグを置く場所のみである為居住空間を保つ事や美観上、衛生上の課題を解決する事となる。そして、たたんだり仕分の際にバッグは風呂敷の用に大きく展開する為、作業効率の向上と衛生上の課題を解決する。
【発明の効果】
【０００５】
洗濯物を取込み仕分けしてたたむといった一連の作業効率の向上と居住空間の維持、美観の維持、洗った洗濯物の清潔感を維持する事と本物件の 発明により上記作業の効率化を計る為に附随して考えられる技術革新と新たなマーケットを生み育む効果が考えられる。
【図面の簡単な説明】
【０００６】
【図１】正面図
【図２】平面図
【図３】底面図
【図４】側面図
【図５】請求項7での左右の取っ手紐の長さを変えた場合の図
【図６】パース図-1（取込み作業時、バッグ型）
【図７】パース図-2（識別、仕分作業時、展開した図）
【図８】請求項8での前方の高さを低くして取込みを容易にした場合の図
【符号の説明】
【０００７】
１  取っ手（綿テープ等）
２  本体（取込み作業時のバッグ型の形状）
３  ポケット（洗濯鋏等小物入れ）
４  裏生地（バッグ時は内側に収納）
５  ファスナー等止め具
６  底ビス
【図１】
2005350085.tif 000003
【図２】
2005350085.tif 000004
【図３】
2005350085.tif 000005
【図４】
2005350085.tif 000006
【図５】
2005350085.tif 000007
【図６】
2005350085.tif 000008
【図７】
2005350085.tif 000009
【図８】
2005350085.tif 000010
(57)【要約】【課題】従来、新聞紙をたくさん収納したあと紐で縛る方法は重い束を持ち上げなければいけなかった。【解決手段】台の上と新聞の間にボールを置くことによって下に紐を通す時ボールが回転して持ち上げるより軽い力で可能にする。【特許請求の範囲】
【請求項１】
底面に球体がついている新聞等収納具
【請求項２】
側面が取り外せる新聞等収納具
【発明の詳細な説明】
【技術分野】
【０００１】
本発明は重ねた新聞紙等を楽に紐で縛ることができるものである。
【背景技術】
【０００２】
従来の新聞紙の収納具は底面に紐を通すくぼみがあっても新聞を積んだ後からでは通しにくく、新聞紙を入れる前に紐を敷いておかなければならなかった。
【特許文献１】特開２００２−１６０７８
【発明の開示】
【発明が解決しようとする課題】
【０００３】
普通束になった新聞紙を縛る時十字に結ぶが、その場合新聞紙を持ち上げて下に紐を通したり、上下反対にひっくり返したりしたりしなければならず重労働だった。
【０００４】
本発明は新聞紙を積んだ後持ち上げたりせず、小さな力で紐を用いて十字結びができる器具である。
【０００５】
そして本発明は底面に球形のボールを一部埋め込んだものである。
【０００６】
上記の解決手段により、新聞紙の下の底面に紐を通すとき、玉が回転する事によって簡単に紐を通すことができる。
【発明の効果】
【０００７】
収納具の底面には球状のボールがついており、ボールと新聞の間にひもを通すとボールが回転して軽い力で新聞の下に紐を通せる。
【０００８】
収納具の側面は４枚からなり取り外しができるようになっていて、縛る時にバラバラにならないよう一部が壁の役割をする。
【０００９】
以下、本発明の形態を図面によって説明する。
【００１０】
新聞収納具の底面には複数のボールが約半分ついている。
【００１１】
側面は縦・横がそれぞれ半分に分かれ、合計４枚のL字になったパネルからなり、底面に取り外し可能なように接続できる。
【００１２】
紐で縛る時は側面を一部取り外し、底面に紐を通す。
【図面の簡単な説明】
【００１３】
【図１】土台となる部分
【図２】土台となる部分に側面部分を取り付けたもの
【符号の説明】
【００１４】
１  土台
２  ボール
３  側面を差し込む溝
４  側面
【図１】
2005350082.tif 000002
【図２】
2005350082.tif 000003
(57)【要約】【課題】多塩素化芳香族化合物は高い毒性を示すため、その無害化処理が重要な課題となっている。主な処理方法として、溶融処理法、超臨海水法、触媒酸化法、アルカリ触媒分解法等が提案されているが、前記提案の技術は処理時に比較的厳しい反応条件が必要であり、設備に多大な費用がかかる、大量の処分には十分対処できないなどの欠点があった。【解決手段】芳香族塩素化合物と芳香族オイルを混合し、芳香族塩素化合物に含まれる塩素との水素化ナトリウムを混合液に添加、攪拌することで発熱反応が起こり、芳香族オイル及び水素化ナトリウムから発生した水素とナトリウムが、芳香族塩素化合物と水素による置換反応を起こし、芳香族塩素化合物はナトリウムによる脱塩素化が逐次的に進行し、無害な生成物と塩化水素と塩化ナトリウムを生成する。常温常圧の温和な条件で芳香族塩素化合物を脱塩素化して無害な生成物にすることを特徴とする処理方法である。【選択図】図１
2005350441.tif 000002
【特許請求の範囲】
【発明の詳細な説明】
【技術分野】
【０００１】本発明は、芳香族塩素化合物を芳香族オイルとナトリウムを用いて脱塩素化を行う処理方法に関する。
【背景技術】
【０００２】ダイオキシン類やＰＣＢ類などの多塩素化芳香族化合物は高い毒性を示すため、その無害化処理が重要な課題となっている。これらの化合物の主な処理方法として、溶融処理法、超臨海水法、触媒酸化法、アルカリ触媒分解法等が提案されている。しかしながら、前記提案の技術は、処理時に比較的厳しい反応条件が必要であり、設備に多大な費用がかかる、または大量の処分には十分対処できないなどの欠点があった。
【発明の開示】
【発明が解決しようとする課題】
【０００３】本発明は、上記従来技術の問題点を解消し、ダイオキシン類やＰＣＢ類などの多塩素化芳香族化合物を常温常圧の温和な条件で、有害物質の生成を伴うことなく効率よく無害化できる処理方法を提供することを課題とする。
【課題が解決するための手段】
【０００４】本発明は、芳香族塩素化合物と芳香族オイルを混合し、芳香族塩素化合物に含まれる塩素とのモル比で１．０以上の水素化ナトリウムを混合液に添加、攪拌することで発熱反応が起こり、芳香族オイル及び水素化ナトリウムから発生した水素とナトリウムが、芳香族塩素化合物と水素による置換反応を起こし、芳香族塩素化合物はナトリウムによる脱塩素化が進行し、無害な生成物と塩化水素及び塩化ナトリウムを生成する。この脱塩素化反応が逐次的に進行し、最終的にすべての塩素が水素で置換される。
【０００５】以上のように、本発明における芳香族塩素化合物の処理方法は、芳香族オイル及び水素化ナトリウムからの芳香族塩素化合物への水素移行反応を利用し、常温常圧の温和な条件で芳香族塩素化合物を脱塩素化して無害な生成物にすることを特徴とする処理方法である。
【０００６】また、好ましくは樹脂系の芳香族オイルを使用することで、ゲル化反応が起こり、脱塩素化した芳香族塩素化合物の残渣の回収において取り扱いが容易に行える。
【発明の効果】
【０００７】上述したように本発明の芳香族塩素化合物の脱塩素化処理方法は、芳香族オイルと水素化ナトリウムを使用することで処理設備、処理費用の低減化を図り、尚且つ、芳香族塩素化合物の脱塩素化処理方法を得ることができるという効果がある。
【発明を実施するための最良の形態】
【０００８】以下、本発明の実施の形態を図１に基づいて説明する。【０００９】図１は、本発明の芳香族塩素化合物の脱塩素化処理方法の模式構成図である。この装置は芳香族塩素化合物を水素化ナトリウムと反応させ、脱塩素化する装置である。【００１０】脱塩素化反応槽に芳香族塩素化合物と樹脂系芳香族オイルを１：１の割合で投入し混合、攪拌して混合液を作る。予め投入する芳香族塩素化合物の塩素を計測し、モル比で１．０以上の水素化ナトリウムをその混合液に投入しゲル化が起こるまで攪拌する。芳香族塩素化合物には水が含まれており、これがナトリウムと反応し脱塩素化反応が進行する。その脱塩素化反応の結果として、有害な塩素を塩化ナトリウムとして回収することができる。
【図面の簡単な説明】
【００１１】
【図１】  本発明の実施形態を示す模式構成図
【図１】
2005350441.tif 000003
【手続補正書】
【提出日】平成16年8月17日(2004.8.17)
【手続補正１】
【補正対象書類名】特許請求の範囲
【補正対象項目名】全文
【補正方法】変更
【補正の内容】
【特許請求の範囲】
【請求項１】
ダイオキシン類、ＰＣＢ等の芳香族塩素化合物を常温常圧の雰囲気内で、芳香族オイルの水素とナトリウムを反応させることを特徴とする脱塩素化処理方法。
(57)【要約】      （修正有）【課題】発毛のおくれ、頭皮の痛み、かゆみ、抜け毛、われ毛を解消し、美髪にうるおいを与える無添加の発毛くりーむそーぷの提供。【解決手段】蒸留機に源泉湯、粉乳、きだちあろえをたんざくに切って入れ弱火にかけ、源泉粉乳きだちあろえ蒸留液をつくり、さらにじゆさーみきさにかけたきだちあろえ液汁を加え、その液に、牛乳固定せつけんを、かつを節機にかけて削り、再度、かつたみきさーにかけ粉末にして入れ、さらに、大豆油、やし油、植物れしちん、おーれを油、おりーぶ油、ばーむおれいん、純生らーどを加え、なべに入れ弱火にかけてねりあげ、冷却しててから、かつたみきさーにかけてなる、よって着色料香料、防ふ剤、品質安定剤、その他科学薬品の無添加発毛くりーむそーぷを提供する。【選択図】なし【特許請求の範囲】
【請求項１】
源泉粉乳きだちあろえ蒸留液に、きだちあろえ液汁を加え大豆油  やし油、植物れしちん、おーれを油、おりーぶ油、ばーむおれいん、純生らーど、牛乳粉末石けんを加え、弱火にかけてねり、冷却してから、かつたみきさーにかけてなる、よって、着色料、香料、防ふ剤、品質安定剤その他、科学薬品の無添加を特長とする発毛くりーむそーぷ。
【請求項２】
源泉湯に粉乳、きだちあろえを、たんざくに切って入れ、弱火にかけ、源泉粉乳きだちあろえ蒸留液をつくりさらに、じゅうさーみきさーにかけたきだちあろえ液汁を加え、その液に、牛乳固型せっけんをかつお節きにかけて削り、再度、かったみきさーにかけ、粉末にして入れ、さらに大豆油、やし油、植物れしちん、おーれを油、おりーぶ油、ばーむおれいん、純生らーどを加え、弱火にかけてねりあげ冷却してから、かったみきさーにかけることを特長とする、発毛くりーむそーぷの製造方法。
【発明の詳細な説明】
【発明の詳細な説明】
【０００１】    〔発明の属する技術分野〕
この発明は、源泉粉乳きだちあろえ蒸留液に、きだちあろえ液を加えた液汁に、大豆油、やし油、植物れしちん、おーれを油、おりーぶ油、ばーむおれいん、純生らーど、牛乳粉末石けんを加え、弱火にかけてねりあげ、冷却して、かったみきさーにかけることによって、固型にならず、くりーむ状になって、成分の分離をふせぎ、うるおいを保ち、頭皮、髪に素手で直接つけて、まっさーじをして洗髪することにより、発毛する無添加の発毛くりーむそーぷ、および、その製造方法に関するものである。
【０００２】    〔従来の技術〕
従来の発毛剤は、着色料  香料、防ぷ剤、品質安定剤、その他、化学薬品を使用して乳液をつくることが普通である、したがって、発毛のおくれ、頭皮の痛み、かゆみ、抜け毛、美髪に支障をきたしていた、よって、無添加が考えられていた、また、手袋、くし、はけ、を使用し、手間がかかりめんどうだった。
【０００３】    〔発明を解決しようとする課題〕
本発明は、その欠点をなくして、発毛のおくれ、頭皮の痛み、かゆみ、抜け毛、われ毛、を解消し、美髪にうるおいを与える無添加の発毛くりーむそーぷの研究を重ねた。
【０００４】    〔課題を解決するための手段〕
その結果、源泉粉乳きだちあろえ蒸留液に、きだちあろえ液汁を加えた液に、大豆油、やし油、植物れしちん、おーれを油、おりーぶ油、ばーむおれいん、純生らーど、牛乳粉末せっけんを加え、弱火にかけてねりあげ、冷却して、かったみきさーにかけてなる、無添加の発毛くりーむそーぷは、目的に合うことをつきとめ発明を完成することができた。
【０００５】    〔発明の実施の形態〕
本発明で使用されている、無添加発毛くりーむそーぷは、頭皮、髪をぬらし素手でつけ、まっさーじをして温いたおるをまいて、むし、毛穴を開き、汚れを浮すと共に、汗、そーぷが目に入るのを防ぎ、湯上がりに洗髪することができ、うるおいと、発毛がうまれる。
【０００６】    〔発明の効果〕
この発明によれば、健康な頭皮、抜け毛、かゆみ、くせ毛、くし通り美髪を保ち、３０日、程で発毛がみられる。
(57)【要約】      （修正有）【課題】    折り返しを容易にしたロール型粘着シートカッターを提供する。【解決手段】  シートを固定する突起とシートを切る刃３の間にシート折り返し時のへらの役目をする隆起物を設け、ハンドル７を持ってシートを折り返すと突起が支点となり折り返しを容易にすることを特徴とするロール型粘着シートカッターである。新しいシートは、突起型シートストッパー２において固定され、ハンドルを持ち前記突起を支点として折り返し後に圧着用隆起４でシートを固定する。折り返しのシート幅は、支点である突起と刃の距離で決まるので常に一定の幅に保つことができる。【選択図】  図１
2005350261.tif 000002
【特許請求の範囲】
【請求項１】
突起型シートストッパーとカット用の刃を設け、突起型シートストッパーが支点となり折り返し時にへらの役目をする圧着用隆起部位を装着したことを特徴とするロール型粘着シートカッター。
【発明の詳細な説明】
【技術分野】
【０００１】  本発明は、ロール型清掃具のシートカッター機に関するものである。
【背景技術】
【０００２】  従来、ロール型粘着シートをそのままの形でカットするものはあった。
【発明の開示】
【発明が解決しようとする課題】
【００３】  そのために、次のような問題があった。
（イ）    粘着面が外向きになっており、そこに髪の毛、埃等を吸着させる為にシート表面が汚れシートの始点部分を探すのが難しかった。
（ロ）    シートを最初に折り返してから使用すれば始点部分を探しやすかったが、手に粘着シートが付着し、上手に折り返せなかった。
本発明は、これらの問題点を解決するためになされたものである。
【課題を解決する手段】
【００４】  カッター本体の前方部にシートを固定し、折り返し時の支点となる突起型シートストッパーを設け、又、前記突起とシートをカットする刃との間にシート折り返し時にへらの役目をする圧着用隆起部位を装着する。以上を特徴とするロール型粘着シートカッターである。
【発明の効果】
【００５】  粘着シートの始点部分を探すことを容易にし、直接粘着シートに触れずにシートの折り返しを可能にすることができ、きわめて便利である。
【発明を実施するための最良の形態】
【００６】  以下、本発明の実施の形態について説明する。
（イ）カッター本体（１）の前方部にシートを固定し、折り返し時に支点と成る突起型シートストッパー（２）を設け、その上部にシートをカットする為のこぎり刃状の刃（３）を設け、突起型シートストッパー（２）と刃（３）との中間に折り返し時にへらの役目をする圧着用隆起（４）を設ける。
（ロ）カッター本体（１）の左右の端の下部にロール固定部（５）を設け、カッター本体（１）の底にロールに接着し固定する為の台座（６）を設ける。
（ハ）カッター本体（１）の後方部にシートをカットした後にシートを折り返し粘着面どおしを接着させるためのハンドル（７）を設ける。
本発明は、以上のような構成で、これを使用するときは、使用したロールの端を引き伸ばした後にハンドル（７）を持ちロール固定部（５）をロール幅に合せた後にロールの使用済み部分と新しい部分の境目が刃（３）の位置に来るようにカッター本体（１）の位置を調節した後にシートをカットする。
新しいシートは、突起型シートストッパー（２）において固定されており、ハンドル（７）を持ち前記突起（２）を支点として折り返し後に圧着用隆起（４）でシートを固定する。折り返しのシートの幅は、支点である突起（２）と刃（３）の距離で決まるので常に一定の幅に保つことが出来る。
【図面の簡単な説明】
【００７】
【図１】  本発明の斜視図
【図２】  本発明の側面図
【図３】  本発明の裏面図
【符号の説明】
【００８】  １  カッター本体
２  突起型シートストッパー
３  刃
４  圧着用隆起
５  ロール固定部
６  台座
７  ハンドル
【図１】
2005350261.tif 000003
【図２】
2005350261.tif 000004
【図３】
2005350261.tif 000005
(57)【要約】 【課題】  本発明は酸化防止を図ることができるとともに、特殊な金属を用いることなく、調達が容易な金属を用いて耐変色性に優れた耐変色性銀合金を得るにある。【解決手段】銀を主成分として少量の銅、亜鉛、ニッケルとで耐変色性銀合金を構成している。【選択図】  図１
2005350717.tif 000002
【特許請求の範囲】
【請求項１】
銀を主成分として少量の銅、亜鉛、ニッケルとからなることを特徴とする耐変色性銀合金。
【請求項２】
１．２５〜１．３５重量％の銅と、０．３５〜０．４５重量％の亜鉛と、０．２４〜０．３７重量％のニッケルと、残部が銀とからなることを特徴とする耐変色性銀合金。
【発明の詳細な説明】
【技術分野】
【０００１】
本発明は、装飾品、装身具、食器等のすべての銀製品に使用することができる        耐変色性銀合金に関する。
【背景技術】
【０００２】
従来の耐変色性銀合金は、３．０〜９．０重量％のインジウムと、０．０２〜０．０９重量％のアルミニウムと、残部が銀とからなるものが考えられている。
【０００３】
しかしながら、このような耐変色性銀合金はアルミニウムを含んでいるので、酸化しやすいという欠点があった。
【特許文献１】特許第２５２４２２７号
【発明の開示】
【発明が解決しようとする課題】
【０００４】
本発明は以上のような従来の欠点に鑑み、酸化防止を図ることができるとともに、特殊な金属を用いることなく、調達が容易な金属を用いて耐変色性に優れた耐変色性銀合金を提供することを目的としている．
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は銀を主成分として少量の銅、亜鉛、ニッケルとで耐変色性銀合金を構成している。
【発明の効果】
【０００７】
以上の説明から明らかなように、本発明にあっては次に列挙する効果が得られる。
【０００８】
（１）銀を主成分として少量の銅、亜鉛、ニッケルとで構成されているので、耐変色性に優れ、酸化防止も図ることができる。
【０００９】
（２）前記（１）によって、銀に少量の銅、亜鉛、ニッケルを用いるので、従来のように特殊金属を使用することなく、調達が容易な金属で製造することができるとともに、銅の混合で、硬化性の増大を図ることができ、亜鉛の混合で、光沢度が増大し、ニッケルの混合で、合金を接合しやすくすることができる。
このため、硬化性や光沢度が増し、メッキの必要性もなく、加工が容易で、安価にできる。
【００１０】
（３）請求項２も前記（１）、（２）と同様な効果が得られるとともに、９８重量％の高純度の銀合金にできる。
【発明を実施するための最良の形態】
【００１１】
以下、図面に示す本発明を実施するための最良の形態により、本発明を詳細に説明する。
【００１２】
図１に示す本発明を実施するための最良の第１の形態において、１は本発明の酸化防止を図ることができる耐変色性銀合金で、この耐変色性銀合金１は１．２５〜１．３５重量％、本発明の実施の形態では１．２５重量％の銅２と、０．３５〜０．４５重量％、本発明の実施の形態では０．３５重量％の亜鉛３と、０．２４〜０．３７重量％、本発明の実施の形態では０．２４重量％のニッケル４と、残部が銀５とで構成されている。
【００１３】
このような成分量の耐変色性銀合金１は、通常の商用金属材の製造方法と同様に大気中で黒鉛ルツボ６を使用して溶製し、金型７に鋳造して所定形状の鋳塊８を得、これを減圧中において約５５℃で焼く３０分間焼鈍して製造される。
【００１４】
このような成分量の耐変色性銀合金１は耐変色に優れ、酸化防止も図ることができるとともに、ロジウムメッキ処理を施した白色系貴金属と同様の色調を得ることができる。
［発明を実施するための異なる形態］
【００１５】
次に、図２に示す本発明を実施するための異なる形態につき説明する。なお、この本発明を実施するための異なる形態の説明に当って、前記本発明を実施するための最良の第１の形態と同一構成部分には同一符号を付して重複する説明を省略する。
【００１６】
図２に示す本発明を実施するための第２の形態において、前記本発明を実施するための最良の第１の形態と主に異なる点は、１．３５重量％の銅２と、０．４５重量％の亜鉛３と、０．３７重量％のニッケル４と、残部が銀５とからなる耐変色性銀合金１Ａにした点で、このような成分量にしても、前記本発明を実施するための最良の第１の形態と同様な作用効果が得られる。
【産業上の利用可能性】
【００１７】
本発明は耐変色性銀合金を製造する産業で利用される。
【図面の簡単な説明】
【００１８】
【図１】本発明を実施するための最良の第１の形態の説明図。
【図２】本発明を実施するための第２の形態の説明図。
【符号の説明】
【００１９】
１、１Ａ：耐変色性銀合金、    ２：銅、
３：亜鉛、                    ４：ニッケル、
５：銀、                      ６：黒鉛ルツボ、
７：金型、                    ８：鋳塊。
【図１】
2005350717.tif 000003
【図２】
2005350717.tif 000004
(57)【要約】【課題】  花粉付着防止性能を有する繊維材料及びその加工方法【解決手段】  微粒子金属石鹸を繊維表面に付着させることで、花粉の付着可能なスペースを低減させ、花粉の付着を抑制する機能を付与する。【特許請求の範囲】
【請求項１】
微粒子金属石鹸を含有する加工剤で処理することで、繊維生地表面の花粉の付着可能なスペースを低減させ、花粉の付着を抑制する性能を持つことを特徴とする繊維材料。
【請求項２】
微粒子金属石鹸を含有する加工剤で処理することを特徴とする「請求項１」記載の繊維材料の加工方法。
【発明の詳細な説明】
【技術分野】
【０００１】  本発明は、花粉付着防止性能を有する繊維材料及びその加工方法に関するものである。
【背景技術】
【０００２】  人体に入り花粉症を引き起こすアレルゲンとして有名なのは、代表的なスギ・ヒノキ花粉の他にブタクサ・ヨモギ等多種にわたる。空気中を浮遊している花粉を直接呼吸器官へ吸い込むことも当然生じるが、衣類や屋外に干した洗濯物や布団等の繊維製品に付着した花粉を室内に持ち込み、体内に入れてしまうことも少なからず起こり得る。【０００３】  花粉症の対策としては、マスク等の着用により体内への侵入を防ぐ対処があるが、室内でのマスク着用にはわずらわしさがあると考えられる。繊維製品への花粉付着防止加工においては、最近コロイダルシリカを代表とした無機微粒子を付着させることによる文献等が発表されているが、どうしても風合いを硬くしてしまう欠点がある。また、柔軟剤を併用することで風合いは改善されるが性能が低下してしまう。この柔軟剤とは、一般的に使用されているシリコーン系の柔軟剤を指す。
【発明の開示】
【発明が解決しようとする課題】
【０００４】  本発明は、上記の従来技術の問題点に対し、花粉が付着しづらく、もし付着しても軽く叩くことで脱落しやすい性能を発揮させると同時に風合いも損なわない繊維材料及びその加工方法を提供することを課題とする。
【課題を解決するための手段】
【０００５】  本発明にあたり、発明者は繊維材料へ風合いを損ねない各種加工剤の処理を行ない、その性能を評価してきた中で、微粒子金属石鹸の花粉付着防止性能における有効性を見いだした。その中でも、カルシウム石鹸分散液の発揮する性能は優秀であった。
【発明の効果】
【０００６】  本発明の花粉付着防止加工は、微粒子金属石鹸を繊維表面に付着させることで、花粉の付着可能なスペースを低減させ、花粉の付着を抑制するものである。つまり、繊維表面の改質加工といえる。【０００７】  本発明に用いられる繊維材料とは、天然繊維、合成繊維、再生繊維を単独或いは混合して作られる糸又は糸よりなる織物、編物、不織布等であるが、特に限定されるものではない。
【課題が解決するための最良の形態】
【０００８】  本発明の繊維材料の処理方法としては、水に分散させた微粒子金属石鹸の加工液中に繊維材料を浸漬して処理する。加工液の処理量は繊維重量に対して絞り率５０〜１００％が好ましいが特に限定されない。乾燥工程は８０〜２００℃で１〜５分間行なう。加工液を繊維材料に処理する方法としては、浸漬以外にも塗布、噴霧して処理する方法があるが、特に限定されない。
【０００９】  繊維材料に処理する加工液の濃度として、微粒子金属石鹸の濃度が０．５〜２．０重量％であることが好ましいが、特に限定されない。
【実施例】
【００１０】  以下、実施例により詳細説明する。しかし、本発明はこれらの実施例に限定されるものではない。【００１１】  （実施例１）微粒子金属石鹸０．５ｇを水９９．５ｇに分散させた状態の加工液を調製する。【００１２】  （実施例２）微粒子金属石鹸１．０ｇを水９９．０ｇに分散させた状態の加工液を調製する。【００１３】  （試験試料の作成及び耐洗濯性試験方法）  実施例１から２で得られた微粒子金属石鹸加工の試験試料の作成は、次に示す方法で行った。実施例１から２の各加工液をポリエステル１００％布（目付１２０ｇ／ｍ２）及び綿１００％布（目付１９０ｇ／ｍ２）に対して、しぼり率８０％で処理した後、８０℃で乾燥させ１５０℃で２分間乾燥した。また、洗濯はＪＩＳＬ−０２１７  １０３法に準じた方法で行った。得られた処理布及び洗濯後の処理布を試験試料とした。【００１４】  （性能評価）実施例１から２の加工液で処理した試験試料の花粉付着防止性能に関する評価を行なった。【００１５】  （試験方法）４．５Ｌポリ袋にスギ花粉（品種名：群馬５号，独立行政法人林木育種センターより分与）を０．１ｇと７×７ｃｍに裁断した試験試料を投入し１００回（１回／秒）振る。その後、試験試料を取り出し、軽く数回振る。実体顕微鏡を用い肉眼にて試験試料に付着した花粉を計数する。計数する面積は５×５ｍｍとし、ばらつきを考慮し３回の繰り返しを行なう。【００１６】  （判定）実施例１〜２の加工液で処理した試験試料と未加工試料との花粉付着数から次の式より花粉付着防止率（％）を求める。
花粉付着防止率（％）＝（未加工区の付着数−加工区の付着数）／未加工区の付着数×１００
【表１】
2005350839.tif 000002
【表２】
2005350839.tif 000003
【産業上の利用可能性】
【００１７】  風合いを重視する衣料を中心に、花粉付着防止性能を必要とする多種多様な用途へ活用できると思われる。
(57)【要約】【課題】日除けで日焼け防止をしていた麦藁帽子に、ＵＶカット、通気性透明性のあるヴェールをつけることで日焼け止め効果を高め皮膚を保護する。【解決手段】ＵＶカットで通気性、透明性のあるヴェールをつける。作業しやすい形態にする。【選択図】      図２
2005350838.tif 000002
【特許請求の範囲】
【請求項１】
顔面側から後側にかけてＵＶカットで、通気性および透明性のあるヴェールをつけた日焼け止め効果の高い麦藁帽子。なおヴェールのつけ方には縫い付ける方法と、取り外しができる方法がある。
【請求項２】
ヴェールは顔面側に丸みをつけて作業をしやすくした後面が開く形で着脱が容易な、請求項１の麦藁帽子。
【発明の詳細な説明】
【技術分野】
【０００１】  本発明は日焼け止め対策として、ＵＶカット素材で、通気性および透明性のあるヴェールを麦藁帽子につけたものである。又、本発明は活動時に着用するものであり、作業しやすく、着脱しやすく、固定性のある形態になっている。
【背景技術】
【０００２】従来麦藁帽子は顔面を影で多い日焼けを防ぐように作られている。後側に覆い布をつけた帽子もあるが顔面側を直接ＵＶカットする工夫は見られない。又顔面を覆面のように被う工夫もあるが通気性に課題を残す。
【発明の開示】
【発明が解決しようとする課題】
【０００３】従来の帽子では、日焼けが十分ふせげず、顔面に覆い布を用いた日焼け防止の工夫は通気性が悪い、暑く息苦しいなどの弱点がある。
【課題を解決するための手段】
【０００４】当発明は、ＵＶカット素材で日焼けを防ぎ、顔面を被うヴェールは通気性と透明性で快適さを保つ。又、作業しやすく、固定性があり着脱しやすいデザインである。
【発明の効果】
【０００５】このようにすれば、ＵＶカット効果で日焼けをふせぎ、皮膚を保護することができる。ヴェールは通気性と透明性があるので、快適に仕事が出来る。又ヴェールの形は顔面側に軽く丸みをもたせ、後面を短くしてあるので、作業がしやすい。後面は開く仕組みで着脱をしやすくする。防虫効果もある。農作業を行う女性の皮膚を保護することが出来る。ヴェールの素材はメッシュでも効果がある。又帽子の素材をかえることで、レジャー用としても利用できる。
【発明を実施するための最良の形態】
【０００６】通気性、透明性のあるＵＶカット素材で日焼けをふせぎ、皮膚を保護する帽子で、ヴェールは側面でダーツを取り顔面側に軽く丸みをもたせ、後面を短くし、作業をしやすくする。後ろは重なり部分をとり開く仕組みで着脱をしやすくする。帽子には紐をつけ顎に固定する。ヴェールを取り外しができるようにすると洗濯の利便性がある。
【図面の簡単な説明】
【０００７】
【図１】本発明の正面図である
【図２】本発明の側面図である
【図３】本発明のヴェールの裁断図である
【符号の説明】
【０００８】１  麦藁帽子
２  ヴェール
３  ダーツ
４  重なり部分
５  帽子のふちの円周
【図１】
2005350838.tif 000003
【図２】
2005350838.tif 000004
【図３】
2005350838.tif 000005
(57)【要約】【課題】  安全性を向上させるとともに施工作業の容易化、施工時間の短縮化を図り、外観が損なわれることのない安価な化粧柱８を得る。【解決手段】  木質系基材３の両端がＲ面取り加工されメラミン樹脂化粧板５が接着された断面略エの字系の一対の化粧パネル１と、同様に木質系基材３´の両端がＲ面取り加工されメラミン樹脂化粧板５´が接着された断面略Ｅの字系の一対の化粧パネル１´とにより芯材の周囲を被覆する。該化粧パネル１と該化粧パネル１´とは嵌合構造とし、該化粧パネル１同士が向き合い、また、該化粧パネル１´同士も向き合うようにする。【選択図】  図１
2005350897.tif 000002
【特許請求の範囲】
【請求項１】
木質系基材３の両端がＲ面取り加工されメラミン樹脂化粧板５が接着された断面略エの字系の一対の化粧パネル１と、同様に木質系基材３´の両端がＲ面取り加工されメラミン樹脂化粧板５´が接着された断面略Ｅの字系の一対の化粧パネル１´とにより基礎支柱９の外周が被覆された化粧柱８であって、該化粧パネル１と該化粧パネル１´とが嵌合され、該化粧パネル１同士が対向し、、また、該化粧パネル１´同士も対向してなることを特徴とする化粧柱８。
【発明の詳細な説明】
【技術分野】
【０００１】
本発明は、基礎支柱の外周面を化粧板により装飾された化粧柱に関する。
【背景技術】
【０００２】
従来、外周面に装飾を施した化粧柱が知られ、芯材に、木質材や合成樹脂複合材、或いは鋼製の角パイプなどが用いられ、外周面には建物の外装または内装とデザイン的或いは色彩的に調和するように繊維補強プラスチックや、クロスなどの装飾材が取り付けられている。
【０００３】
【特許文献１】特開２０００−４５４８６号公報
【特許文献２】特開平６−１９３１９４号公報
【特許文献３】特開平７−３０５４９０号公報
【特許文献４】実開平５−７１３３９号公報
【発明の開示】
【発明が解決しようとする課題】
【０００４】
しかしながら、取り付け作業が煩雑であったり、ビス留めをすると外観を損ねるなどの問題があった。また、平板の化粧合板を用いるとピン角である上、基材の合板が剥き出しになり見苦しいといった問題があった。
更に、クロス貼りしたものはキズが入ったり、破れやすく、継ぎ目があり、下地の不陸の影響を受けやすく、施工するには熟練度を要するものとなっていた。
更にまた、押し出し成形品や繊維補強プラスチックは重く施工作業性が悪く、高価であった。
【０００５】
本発明の目的は、安全性を向上させるとともに施工作業の容易化、施工時間の短縮化を図り、化粧柱の外観が損なわれることのない安価な化粧柱を提供することを目的とするものである。
【課題を解決するための手段】
【０００６】
本発明は、かかる状況に鑑み検討されたもので、以下のことを特徴とする発明である。すなわち本発明は、木質系基材３の両端がＲ面取り加工されメラミン樹脂化粧板５が接着された断面略エの字系の一対の化粧パネル１と、同様に木質系基材３´の両端がＲ面取り加工されメラミン樹脂化粧板５´が接着された断面略Ｅの字系の一対の化粧パネル１´とにより基礎支柱９の外周が被覆された化粧柱８であって、該化粧パネル１と該化粧パネル１´とが嵌合され、該化粧パネル１同士が対向し、、また、該化粧パネル１´同士も対向してなることを特徴とする化粧柱８である。
【発明の効果】
【０００７】
本発明の化粧柱は施工も容易で意匠的に優れ、丸みを帯びているので安全である。また、本発明の化粧柱は組み立て式であるため化粧柱全体を工場から出荷したり、搬送する必要がない。
【発明を実施するための最良の形態】
【０００８】
以下、本発明について図面に基づいて詳細に説明する。
図１は本発明の化粧柱の構成断面図を示し、基礎支柱９の周囲が一対の化粧パネル１と一対の化粧パネル１´により被覆されているとともに、化粧パネル１と化粧パネル１´は嵌合されている。尚、図示はしないが、上端部、下端部には台座が設けられている。
【０００９】
化粧パネル１は、木質系基材３として合板を用い、表面両端を３Ｒに面取り加工され、厚み１．２ｍｍのメラミン樹脂化粧板５が合成ゴム系の接着剤で接着され、嵌合凹部６を形成するべく断面エの字形に切削加工されている。
化粧パネル１´は、化粧パネル１と同様にメラミン樹脂化粧板５´が接着され、嵌合凸部７を形成するべく断面Ｅの字形に切削加工されている。
夫々の化粧パネル１、１´表面の両端を曲面にすることにより、手、足、頭などをぶつけた際けがをするのを防止することができる。直角であるとけがをしたり、物が当った時破損しやすくなる。化粧パネル１、１´は熱可塑性樹脂の成型品であってもよく、木粉などを混入することにより木目調など意匠性に優れたものとなる。
【００１０】
メラミン樹脂化粧板５、５´は、その表面物性、例えば、耐摩耗性、耐熱性、耐衝撃性、強度などに優れることから好適に用いられるが、特に高い表面物性を必要としない場合には、メラミン樹脂化粧板５、５´の代わりにジアリルフタレート樹脂化粧板、オレフィンシートなどを用いてもよい。
【００１１】
メラミン樹脂化粧板５、５´は、クラフト紙にフェノール樹脂を含浸した樹脂含浸コア紙と、化粧紙にメラミン樹脂を含浸したメラミン樹脂含浸化粧紙と、必要に応じて表面紙にメラミン樹脂を含浸したメラミン樹脂含浸表面紙とを積層し、熱圧成形したものである。
本発明では、前述の安全性を確保するとともに、メラミン樹脂化粧板を曲面貼りすることにより、合板の木口面の茶色が現れないようになっている。木口面が現れると意匠的に見苦しい感じを与え、これを解消しようとすると木口面に塗料を塗るなどの処理が必要で、手間がかかり、施工費用がかさむ。
【００１２】
本発明では、合板とメラミン樹脂化粧板５、５´を接着する際は接着剤として合成ゴム系接着剤を用いているが、両材料に適する公知の接着剤であれば特に制約はなく、例えば、水性ビニールウレタン系接着剤、ウレタン系接着剤、アクリル系接着剤、ユリア系接着剤、エポキシ系接着剤、酢酸ビニル樹脂系接着剤などが挙げられる。
両者を一体化するにあたっては、夫々に接着剤を塗布し、ピンチローラーにて平面部を圧締し、Ｒ部は連続ロール方式にて加熱圧締する、或いは加熱曲げ加工しハンドローラーで圧締するなどの公知の手段を用いればよい。
【図面の簡単な説明】
【００１３】
【図１】本発明の化粧柱の構成断面図。
【符号の説明】
【００１４】
１    化粧パネル
１´  化粧パネル
３    木質系基材
４    Ｒ部
５    メラミン樹脂化粧板
５´  メラミン樹脂化粧板
６    嵌合凹部
７    嵌合凸部
８    化粧柱
９    基礎支柱
【図１】
2005350897.tif 000003
(57)【要約】【課題】人体頭皮への発育毛剤の充分な投与が可能であり、しかも人体頭部上にシート体を載置しただけで液垂れするような不具合のない実用利便性に優れた頭髪発育毛剤含浸シートを提供する。【解決手段】この頭髪発育毛剤含浸シートは、粘度が1.５〜8.５mPa ・s の範囲にある頭髪用発育毛剤を、目付け量が３０〜１５０ｇ／ｍ2 の範囲にある脱脂綿シートに対して、重量比で４〜８倍含ませてなるものである【選択図】なし【特許請求の範囲】
【請求項１】
粘度が1.５〜8.５mPa ・s の範囲にある頭髪用発育毛剤を、目付け量が３０〜１５０ｇ／ｍ2 の範囲にある脱脂綿シートに対して、重量比で４〜８倍含ませたことを特徴とする頭髪発育毛剤含浸シート。
【請求項２】
脱脂綿シートがメッシュ網状、或いは表面に凹凸形状を有するものである請求項１記載の頭髪発育毛剤含浸シート。
【発明の詳細な説明】
【技術分野】
【０００１】
本発明は、脱脂綿シートに頭髪用発育毛剤を含ませてなる、頭髪発育毛剤含浸シートに関する。
【背景技術】
【０００２】
この種の頭髪発育毛剤含浸シートの従来例に、特許文献１がある。そこでは、紙、不織布、布、脱脂綿等のシート状の支持体に対して、重量比で１〜５倍の発育毛剤を含浸させている。
【０００３】
【特許文献１】特開２００１−６４１２２号公報（段落番号０００８、０００９）
【発明の開示】
【発明が解決しようとする課題】
【０００４】
上記のように、シート状の支持体に発育毛剤を含浸してあると、該支持体を頭に載せてブラシ等でパッティングするだけで、発育毛剤を必要な箇所に液垂れなく投与できる。つまり、化粧瓶入りの発育毛剤やエアーゾルタイプの発育毛剤に比べて液垂れが少なく、効率的に発育毛剤を投与できる利点がある。
【０００５】
問題は、上記の重量比（１〜５倍）分だけ発育毛剤を含浸させた場合でも、支持体の種類によっては、人体頭部上にシートを載置しただけで発育毛剤が液垂れしたり、逆に発育毛剤量が少なすぎて人体頭皮への充分な発育毛剤の投与ができなくなることにある。
【０００６】
本発明の目的は、人体頭皮への発育毛剤の充分な投与が可能であり、しかも人体頭部上にシート体を載置しただけで液垂れするような不具合のない実用利便性に優れた頭髪発育毛剤含浸シートを提供することにある。
【課題を解決するための手段】
【０００７】
本発明に係る頭髪発育毛剤含浸シートは、粘度が1.５〜8.５mPa ・s の範囲にある頭髪用発育毛剤を、目付け量が３０〜１５０ｇ／ｍ2 の範囲にある脱脂綿シートに対して、重量比で４〜８倍含ませたことを特徴とする。
【０００８】
脱脂綿シートは、メッシュ網状、或いは表面に凹凸形状を有するものとすることができる。
【発明の効果】
【０００９】
本発明によれば、頭髪用発育毛剤の粘度、発育毛剤が含浸される脱脂綿シートの目付け量、および脱脂綿シートに対する発育毛剤の含浸量という、三つのパラメーターを上述のような組み合わせとすることにより、第１に人体頭部への発育毛剤の充分な投与が可能であること、第２に人体頭部上にシートを載置しただけでは液垂れしないことという、相反する二つの課題を同時に解決できる。
【００１０】
脱脂綿シートがメッシュ網状、或いは表面に凹凸形状を有するものとしてあると、発育毛剤の塗布動作と、これの拭き取り動作とを繰り返すことで、毛根部に付着の老化分泌物に対する除去作業を容易に行うことができる。人体頭皮に対して適度の刺激を与えることもできる。
【発明を実施するための最良の形態】
【００１１】
以下の表１および表２に示すような、Ｎo.１〜３２に係る頭髪発育毛剤含浸シート（１６×２０cm）を作製し、各シートについて、液垂れの有無、塗布性、拭き取り性について評価した。各試験項目の評価は、女性２人、男性一人、計３人の検者の合議によるものとした。評価方法は以下の如くとした。なお、発育毛剤は、発育毛剤成分と抗炎症剤、および粘度調整剤（ジプロピレングリコール、１，３−ブチレングリコール、グリセリン，アルギン酸ナトリウム）を含むものとし、粘度調整剤の含有割合を変更することで発育毛剤の粘度を調整した。かかる発育毛剤の粘度測定は、ＪＩＳ  Ｚ８８０３−１９９１（液体の粘度測定方法）に準じて行った。使用器具および測定条件は以下の通り。
（株）東京計器製  Ｂ型粘度計
型式：ＢＭ型  ロータ：ＢＬアダプター
回転数：６０ｒｐｍ  測定温度：２５℃
【００１２】
〈評価方法〉
（液垂れの有無）
○：液垂れなし  △：液垂れ少しあり  ×：液垂れあり
（塗布性：充分塗布されたか）
○：良い  △：少し悪い  ×：悪い
（拭き取り性：塗布と拭き取りが交互にできたか）
○：良い  △：少し悪い  ×：悪い
【００１３】
【表１】
2005350380.tif 000002
【００１４】
【表２】
2005350380.tif 000003
【００１５】
表１のＮo.５〜１２より、頭髪用発育毛剤の粘度を1.５〜8.５mPa ・s の範囲とし、発育毛剤が含浸される脱脂綿シートの目付け量を３０〜１５０ｇ／ｍ2 の範囲とし、さらに脱脂綿シートに対する発育毛剤の含浸量を４〜８倍としてあると、人体頭部への発育毛剤の充分な投与が可能であり、しかも人体頭部上にシートを載置しただけでは液垂れしない実用利便性に優れた頭髪発育毛剤含浸シートが得られることがわかる。すなわち、三つのパラメーター値を上記数値範囲とすることにより、塗布性に優れ、しかも液垂れのない頭髪発育毛剤含浸シートを得ることができることが確認できた。また、これらパラメーター値を満足する頭髪発育毛剤含浸シートは、拭取り性にも優れている。これに対して、Ｎo.１〜４、およびＮo.１３〜３２より、いずれか一つのパラメータ−値が上記数値より外れると、塗布性が不良となったり、液垂れが生じ、その結果、実用利便性が劣るものとなることは否めない。